【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
少なくとも１つの直交受動ミキサを使用してベースバンド信号を高調波除去アップコンバートするための方法であって、前記方法が、
第１のベースバンド入力として直交ベースバンド信号を受信し、第１の局部発振器（ＬＯ）入力として多相ＬＯ信号の第１のセットを受信することと、
第２のベースバンド入力として前記直交ベースバンド信号を受信し、第２のＬＯ入力として多相ＬＯ信号の第２のセットを受信することと、
第１のアップコンバート出力と第１の逆アップコンバート出力とを生成することと、両方が前記第１のベースバンド入力と前記第１のＬＯ入力とを使用する、
第２のアップコンバート出力と第２の逆アップコンバート出力とを生成することと、両方が前記第２のベースバンド入力と前記第２のＬＯ入力とを使用する、
前記第２のアップコンバート出力に前記第１のアップコンバート出力を直接接続し、前記結果を第１の増幅器入力に印加することと、
前記第２の逆アップコンバート出力に前記第１の逆アップコンバート出力を直接接続し、前記結果を第２の増幅器入力に印加することと、
前記第１および第２の増幅器入力に少なくとも部分的に基づいて少なくとも１つの除去高調波スプリアス混合積をもつアップコンバート信号を送信することと
を備え、
多相ＬＯ信号の前記第１のセットが４位相ＬＯ信号の第１のセットを備え、多相ＬＯ信号の前記第２のセットが４位相ＬＯ信号の第２のセットを備え、
４位相直交ＬＯ信号の前記第１のセット内の各信号が、４位相直交ＬＯ信号の前記第２のセット中の対応する信号に対して６０度だけシフトされ、４位相ＬＯ信号の前記第１のセットが、３３％デューティサイクルであり、４位相ＬＯ信号の前記第２のセットが、６６％デューティサイクルである、方法。
【請求項２】
少なくとも１つの直交受動ミキサを使用してベースバンド信号を高調波除去アップコンバートするための方法であって、前記方法が、
第１のベースバンド入力として直交ベースバンド信号を受信し、第１の局部発振器（ＬＯ）入力として多相ＬＯ信号の第１のセットを受信することと、
第２のベースバンド入力として前記直交ベースバンド信号を受信し、第２のＬＯ入力として多相ＬＯ信号の第２のセットを受信することと、
第１のアップコンバート出力と第１の逆アップコンバート出力とを生成することと、両方が前記第１のベースバンド入力と前記第１のＬＯ入力とを使用する、
第２のアップコンバート出力と第２の逆アップコンバート出力とを生成することと、両方が前記第２のベースバンド入力と前記第２のＬＯ入力とを使用する、
前記第２のアップコンバート出力に前記第１のアップコンバート出力を直接接続し、前記結果を第１の増幅器入力に印加することと、
前記第２の逆アップコンバート出力に前記第１の逆アップコンバート出力を直接接続し、前記結果を第２の増幅器入力に印加することと、
前記第１および第２の増幅器入力に少なくとも部分的に基づいて少なくとも１つの除去高調波スプリアス混合積をもつアップコンバート信号を送信することと
を備え、
多相ＬＯ信号の前記第１のセットが４位相ＬＯ信号の第１のセットを備え、多相ＬＯ信号の前記第２のセットが４位相ＬＯ信号の第２のセットを備え、
第３のベースバンド入力として前記直交ベースバンド信号を受信し、第３のＬＯ入力として４位相ＬＯ信号の第３のセットを受信することをさらに備え、ここにおいて、前記第１、第２、および第３の４位相ＬＯ信号の各々が、３３％デューティサイクルであり、４位相直交ＬＯ信号の前記第１のセット内の各信号が、４位相直交ＬＯ信号の他の２つのセット中の対応する信号に対して６０度だけシフトされる、方法。
【請求項３】
関連ファクタ１によって前記第１のベースバンド入力をスケーリングすることと、
関連ファクタｓｑｒｔ（２）によって前記第２のベースバンド入力をスケーリングすることと
をさらに備える、請求項１に記載の方法。
【請求項４】
前記第１のアップコンバート出力および前記第１の逆アップコンバート出力がスケールド抵抗ファクタ１を有し、前記第２のアップコンバート出力および前記第２の逆アップコンバート出力がスケールド抵抗ファクタｓｑｒｔ（２）を有する、請求項３に記載の方法。
【請求項５】
関連ファクタ１によって前記第１のベースバンド入力をスケーリングすることと、
関連ファクタｓｑｒｔ（２）によって前記第２のベースバンド入力をスケーリングすることと、
関連ファクタｓｑｒｔ（２）によって前記第３のベースバンド入力をスケーリングすることと
をさらに備える、請求項２に記載の方法。
【請求項６】
第３のアップコンバート出力と第３の逆アップコンバート出力とを生成することと、両方が前記第３のベースバンド入力と前記第３のＬＯ入力とを使用する、
前記第１のアップコンバート出力と前記第２のアップコンバート出力とに前記第３のアップコンバート出力を直接接続し、前記結果を前記第１の増幅器入力に印加することと、
前記第１の逆アップコンバート出力と前記第２の逆アップコンバート出力とに前記第３の逆アップコンバート出力を直接接続し、前記結果を第３の第２の増幅器入力に印加することと
をさらに備える、請求項５に記載の方法。
【請求項７】
前記第１のアップコンバート出力および前記第１の逆アップコンバート出力がスケールド抵抗ファクタ１を有し、前記第２のアップコンバート出力および前記第２の逆アップコンバート出力がスケールド抵抗ファクタｓｑｒｔ（２）を有し、前記第３のアップコンバート出力および前記第３の逆アップコンバート出力がスケールド抵抗ファクタｓｑｒｔ（２）を有する、請求項６に記載の方法。
【請求項８】
ベースバンド信号を高調波除去アップコンバートするための装置であって、前記装置が、
第１のベースバンド入力として直交ベースバンド信号を受信し、第１の局部発振器（ＬＯ）入力として多相ＬＯ信号の第１のセットを受信するための手段と、
第２のベースバンド入力として前記直交ベースバンド信号を受信し、第２のＬＯ入力として多相ＬＯ信号の第２のセットを受信するための手段と、
第１のアップコンバート出力と第１の逆アップコンバート出力とを生成するための手段と、両方が前記第１のベースバンド入力と前記第１のＬＯ入力とを使用する、
第２のアップコンバート出力と第２の逆アップコンバート出力とを生成するための手段と、両方が前記第２のベースバンド入力と前記第２のＬＯ入力とを使用する、
前記第２のアップコンバート出力に前記第１のアップコンバート出力を直接接続し、前記結果を第１の増幅器入力に印加するための手段と、
前記第２の逆アップコンバート出力に前記第１の逆アップコンバート出力を直接接続し、前記結果を第２の増幅器入力に印加するための手段と、
前記第１および第２の増幅器入力に少なくとも部分的に基づいて少なくとも１つの除去高調波スプリアス混合積をもつアップコンバート信号を送信するための手段と
を備え、
多相ＬＯ信号の前記第１のセットが４位相ＬＯ信号の第１のセットを備え、多相ＬＯ信号の前記第２のセットが４位相ＬＯ信号の第２のセットを備え、
４位相直交ＬＯ信号の前記第１のセット内の各信号が、４位相直交ＬＯ信号の前記第２のセット中の対応する信号に対して６０度だけシフトされ、４位相ＬＯ信号の前記第１のセットが、３３％デューティサイクルであり、４位相ＬＯ信号の前記第２のセットが、６６％デューティサイクルである、装置。
【請求項９】
ベースバンド信号を高調波除去アップコンバートするための装置であって、前記装置が、
第１のベースバンド入力として直交ベースバンド信号を受信し、第１の局部発振器（ＬＯ）入力として多相ＬＯ信号の第１のセットを受信するための手段と、
第２のベースバンド入力として前記直交ベースバンド信号を受信し、第２のＬＯ入力として多相ＬＯ信号の第２のセットを受信するための手段と、
第１のアップコンバート出力と第１の逆アップコンバート出力とを生成するための手段と、両方が前記第１のベースバンド入力と前記第１のＬＯ入力とを使用する、
第２のアップコンバート出力と第２の逆アップコンバート出力とを生成するための手段と、両方が前記第２のベースバンド入力と前記第２のＬＯ入力とを使用する、
前記第２のアップコンバート出力に前記第１のアップコンバート出力を直接接続し、前記結果を第１の増幅器入力に印加するための手段と、
前記第２の逆アップコンバート出力に前記第１の逆アップコンバート出力を直接接続し、前記結果を第２の増幅器入力に印加するための手段と、
前記第１および第２の増幅器入力に少なくとも部分的に基づいて少なくとも１つの除去高調波スプリアス混合積をもつアップコンバート信号を送信するための手段と
を備え、
多相ＬＯ信号の前記第１のセットが４位相ＬＯ信号の第１のセットを備え、多相ＬＯ信号の前記第２のセットが４位相ＬＯ信号の第２のセットを備え、
第３のベースバンド入力として前記直交ベースバンド信号を受信し、第３のＬＯ入力として４位相ＬＯ信号の第３のセットを受信することをさらに備え、ここにおいて、前記第１、第２、および第３の４位相ＬＯ信号の各々が、３３％デューティサイクルであり、４位相直交ＬＯ信号の前記第１のセット内の各信号が、４位相直交ＬＯ信号の他の２つのセット中の対応する信号に対して６０度だけシフトされる、装置。
【請求項１０】
関連ファクタ１によって前記第１のベースバンド入力をスケーリングするための手段と、
関連ファクタｓｑｒｔ（２）によって前記第２のベースバンド入力をスケーリングするための手段と
をさらに備える、請求項８に記載の装置。
【請求項１１】
前記第１のアップコンバート出力および前記第１の逆アップコンバート出力がスケールド抵抗ファクタ１を有し、前記第２のアップコンバート出力および前記第２の逆アップコンバート出力がスケールド抵抗ファクタｓｑｒｔ（２）を有する、請求項１０に記載の装置。
【請求項１２】
関連ファクタ１によって前記第１のベースバンド入力をスケーリングするための手段と、
関連ファクタｓｑｒｔ（２）によって前記第２のベースバンド入力をスケーリングするための手段と、
関連ファクタｓｑｒｔ（２）によって前記第３のベースバンド入力をスケーリングするための手段と
をさらに備える、請求項９に記載の装置。
【請求項１３】
第３のアップコンバート出力と第３の逆アップコンバート出力とを生成するための手段と、両方が前記第３のベースバンド入力と前記第３のＬＯ入力とを使用する、
前記第１のアップコンバート出力と前記第２のアップコンバート出力とに前記第３のアップコンバート出力を直接接続し、前記結果を前記第１の増幅器入力に印加するための手段と、
前記第１の逆アップコンバート出力と前記第２の逆アップコンバート出力とに前記第３の逆アップコンバート出力を直接接続し、前記結果を第３の第２の増幅器入力に印加するための手段と
をさらに備える、請求項１２に記載の装置。
【請求項１４】
前記第１のアップコンバート出力および前記第１の逆アップコンバート出力がスケールド抵抗ファクタ１を有し、前記第２のアップコンバート出力および前記第２の逆アップコンバート出力がスケールド抵抗ファクタｓｑｒｔ（２）を有し、前記第３のアップコンバート出力および前記第３の逆アップコンバート出力がスケールド抵抗ファクタｓｑｒｔ（２）を有する、請求項１３に記載の装置。
【手続補正２】
【補正対象書類名】明細書
【補正対象項目名】００３３
【補正方法】変更
【補正の内容】
【００３３】
[0037]様々な例について説明してきた。これらおよび他の例は以下の特許請求の範囲内に入る。
以下に本願の出願当初の特許請求の範囲に記載された発明を付記する。
［Ｃ１］
少なくとも１つの直交受動ミキサを使用してベースバンド信号を高調波除去アップコンバートするための装置であって、前記装置が、
第１のベースバンド入力として直交ベースバンド信号を受信し、第１の局部発振器（ＬＯ）入力として多相ＬＯ信号の第１のセットを受信するように構成された第１の直交受動ミキサと、
第２のベースバンド入力として前記直交ベースバンド信号を受信し、第２のＬＯ入力として多相ＬＯ信号の第２のセットを受信するように構成された第２の直交受動ミキサと、
第１の増幅器入力と、第２の増幅器入力と、増幅器出力とを備える増幅器と、
送信機出力を備える送信機とを備え、ここにおいて、
前記第１の直交受動ミキサと前記第２の直交受動ミキサが両方とも第１および第２の出力を備え、
前記第１の直交受動ミキサの前記第１の出力が、前記第２の直交受動ミキサの前記第１の出力に直接接続され、ともに前記第１の増幅器入力に結合され、
前記第１の直交受動ミキサの前記第２の出力が、前記第２の直交受動ミキサの前記第２の出力に直接接続され、ともに前記第２の増幅器入力に結合され、
前記増幅器出力が前記送信機出力に結合され、前記送信機出力が、前記第１および第２の増幅器入力に少なくとも部分的に基づいて少なくとも１つの除去高調波スプリアス混合積をもつアップコンバート信号を出力するように構成された、装置。
［Ｃ２］
多相ＬＯ信号の前記第１のセットが４位相ＬＯ信号の第１のセットを備え、多相ＬＯ信号の前記第２のセットが４位相ＬＯ信号の第２のセットを備える、Ｃ１に記載の装置。
［Ｃ３］
４位相ＬＯ信号の前記第１のセットが２５％デューティサイクルであり、４位相ＬＯ信号の前記第２のセットが５０％デューティサイクルである、Ｃ２に記載の装置。
［Ｃ４］
４位相ＬＯ信号の前記第１のセットが、４位相ＬＯ信号の前記第２のセットに対して４５度だけシフトされる、Ｃ３に記載の装置。
［Ｃ５］
前記第１の直交受動ミキサと前記第２の直交受動ミキサの両方が少なくとも４つのトランジスタを備え、各トランジスタが直列抵抗を有する、Ｃ４に記載の装置。
［Ｃ６］
前記第１の直交受動ミキサと前記第２の直交受動ミキサの両方が、二重平衡ミキサとして構成された少なくとも８つのトランジスタを備え、前記二重平衡ミキサ構成におけるトランジスタの各ペアが直列抵抗を有する、Ｃ４に記載の装置。
［Ｃ７］
前記直列抵抗が、前記第１の直交受動ミキサのために関連ファクタ１によってスケーリングされ、前記第２の受動ミキサのために関連ファクタｓｑｒｔ（２）によってスケーリングされる、Ｃ５に記載の装置。
［Ｃ８］
前記直交受動ミキサの両方に関連するミキサトランジスタオン抵抗が、前記受動ミキサの両方に関連する前記直列抵抗と同じ比によってスケーリングされる、Ｃ７に記載の装置。
［Ｃ９］
第３のベースバンド入力として直交ベースバンド信号を受信し、第３のＬＯ入力として４位相ＬＯ信号の第３のセットを受信するように構成された第３の直交受動ミキサをさらに備え、ここにおいて、前記第１の受動ミキサ、前記第２の受動ミキサ、および前記第３の受動ミキサの各々が２５％デューティサイクルＬＯ信号を受信する、Ｃ２に記載の装置。
［Ｃ１０］
４位相ＬＯ信号の前記第１のセットが４位相ＬＯ信号の前記第２のセットに対して４５度だけシフトされ、４位相ＬＯ信号の前記第１のセットが４位相ＬＯ信号の前記第３のセットに対して−４５度シフトされる、Ｃ９に記載の装置。
［Ｃ１１］
前記第１の受動ミキサ、前記第２の受動ミキサ、および前記第３の受動ミキサの各々が少なくとも４つのトランジスタを備え、各トランジスタが直列抵抗を有する、Ｃ１０に記載の装置。
［Ｃ１２］
前記第１の直交受動ミキサと前記第２の直交受動ミキサの両方が、二重平衡ミキサとして構成された少なくとも８つのトランジスタを備え、前記二重平衡ミキサ構成におけるトランジスタの各ペアが直列抵抗を有する、Ｃ１０に記載の装置。
［Ｃ１３］
前記直列抵抗が、前記第１の受動ミキサのために関連ファクタ１によってスケーリングされ、前記第２の受動ミキサのために関連ファクタｓｑｒｔ（２）によってスケーリングされ、前記第３の受動ミキサのために関連ファクタｓｑｒｔ（２）によってスケーリングされる、Ｃ１１に記載の装置。
［Ｃ１４］
ミキサトランジスタオン抵抗が、前記少なくとも４つのトランジスタに関連する前記直列抵抗と同じ比によってスケーリングされる、Ｃ１３に記載の装置。
［Ｃ１５］
前記第１の直交受動ミキサの前記第１の出力が、電圧分割および電圧重ね合わせの原理に基づいて前記第２の直交受動ミキサの前記第１の出力に直接接続される、Ｃ１に記載の装置。
［Ｃ１６］
４位相ＬＯ信号の前記第１のセットが３３％デューティサイクルであり、４位相ＬＯ信号の前記第２のセットが６６％デューティサイクルである、Ｃ２に記載の装置。
［Ｃ１７］
第３の直交受動ミキサをさらに備え、ここにおいて、前記第１の受動ミキサ、前記第２の受動ミキサ、および前記第３の受動ミキサの各々が３３％デューティサイクルＬＯ信号を受信する、Ｃ２に記載の装置。
［Ｃ１８］
少なくとも１つの直交受動ミキサを使用してベースバンド信号を高調波除去アップコンバートするための方法であって、前記方法が、
第１のベースバンド入力として直交ベースバンド信号を受信し、第１の局部発振器（ＬＯ）入力として多相ＬＯ信号の第１のセットを受信することと、
第２のベースバンド入力として前記直交ベースバンド信号を受信し、第２のＬＯ入力として多相ＬＯ信号の第２のセットを受信することと、
第１のアップコンバート出力と第１の逆アップコンバート出力とを生成することと、両方が前記第１のベースバンド入力と前記第１のＬＯ入力とを使用する、
第２のアップコンバート出力と第２の逆アップコンバート出力とを生成することと、両方が前記第２のベースバンド入力と前記第２のＬＯ入力とを使用する、
前記第２のアップコンバート出力に前記第１のアップコンバート出力を直接接続し、前記結果を第１の増幅器入力に印加することと、
前記第２の逆アップコンバート出力に前記第１の逆アップコンバート出力を直接接続し、前記結果を第２の増幅器入力に印加することと、
前記第１および第２の増幅器入力に少なくとも部分的に基づいて少なくとも１つの除去高調波スプリアス混合積をもつアップコンバート信号を送信することとを備える、方法。
［Ｃ１９］
多相ＬＯ信号の前記第１のセットが４位相ＬＯ信号の第１のセットを備え、多相ＬＯ信号の前記第２のセットが４位相ＬＯ信号の第２のセットを備える、Ｃ１８に記載の方法。
［Ｃ２０］
４位相ＬＯ信号の前記第１のセットが２５％デューティサイクルであり、４位相ＬＯ信号の前記第２のセットが５０％デューティサイクルである、Ｃ１９に記載の方法。
［Ｃ２１］
４位相ＬＯ信号の前記第１のセットが、４位相ＬＯ信号の前記第２のセットに対して４５度だけシフトされる、Ｃ２０に記載の方法。
［Ｃ２２］
関連ファクタ１によって前記第１のベースバンド入力をスケーリングすることと、
関連ファクタｓｑｒｔ（２）によって前記第２のベースバンド入力をスケーリングすることとをさらに備える、Ｃ２１に記載の方法。
［Ｃ２３］
前記第１のアップコンバート出力および前記第１の逆アップコンバート出力がスケールド抵抗ファクタ１を有し、前記第２のアップコンバート出力および前記第２の逆アップコンバート出力がスケールド抵抗ファクタｓｑｒｔ（２）を有する、Ｃ２２に記載の方法。
［Ｃ２４］
第３のベースバンド入力として前記直交ベースバンド信号を受信し、第３のＬＯ入力として４位相ＬＯ信号の第３のセットを受信することをさらに備え、ここにおいて、第１の４位相ＬＯ信号、第２の４位相ＬＯ信号、および第３の４位相ＬＯ信号の各々が２５％デューティサイクルである、Ｃ１９に記載の方法。
［Ｃ２５］
４位相ＬＯ信号の前記第１のセットが４位相ＬＯ信号の前記第２のセットに対して４５度だけシフトされ、４位相ＬＯ信号の前記第１のセットが４位相ＬＯ信号の前記第３のセットに対して−４５度シフトされる、Ｃ２４に記載の方法。
［Ｃ２６］
関連ファクタ１によって前記第１のベースバンド入力をスケーリングすることと、
関連ファクタｓｑｒｔ（２）によって前記第２のベースバンド入力をスケーリングすることと、
関連ファクタｓｑｒｔ（２）によって前記第３のベースバンド入力をスケーリングすることとをさらに備える、Ｃ２５に記載の方法。
［Ｃ２７］
第３のアップコンバート出力と第３の逆アップコンバート出力とを生成することと、両方が前記第３のベースバンド入力と前記第３のＬＯ入力とを使用する、
前記第１のアップコンバート出力と前記第２のアップコンバート出力とに前記第３のアップコンバート出力を直接接続し、前記結果を前記第１の増幅器入力に印加することと、
前記第１の逆アップコンバート出力と前記第２の逆アップコンバート出力とに前記第３の逆アップコンバート出力を直接接続し、前記結果を第３の第２の増幅器入力に印加することとをさらに備える、Ｃ２６に記載の方法。
［Ｃ２８］
前記第１のアップコンバート出力および前記第１の逆アップコンバート出力がスケールド抵抗ファクタ１を有し、前記第２のアップコンバート出力および前記第２の逆アップコンバート出力がスケールド抵抗ファクタｓｑｒｔ（２）を有し、前記第３のアップコンバート出力および前記第３の逆アップコンバート出力がスケールド抵抗ファクタｓｑｒｔ（２）を有する、Ｃ２７に記載の方法。
［Ｃ２９］
前記第２のアップコンバート出力に前記第１のアップコンバート出力を直接接続することと、前記第２の逆アップコンバート出力に前記第１の逆アップコンバート出力を直接接続することとが、電圧分割および電圧重ね合わせの原理に基づく、Ｃ１８に記載の方法。
［Ｃ３０］
４位相ＬＯ信号の前記第１のセットが３３％デューティサイクルであり、４位相ＬＯ信号の前記第２のセットが６６％デューティサイクルである、Ｃ１９に記載の方法。
［Ｃ３１］
第３のベースバンド入力として前記直交ベースバンド信号を受信し、第３のＬＯ入力として４位相ＬＯ信号の第３のセットを受信することをさらに備え、ここにおいて、前記第１の４位相ＬＯ信号、前記第２の４位相ＬＯ信号、および前記第３の４位相ＬＯ信号の各々が３３％デューティサイクルである、Ｃ１９に記載の方法。
［Ｃ３２］
ベースバンド信号を高調波除去アップコンバートするための装置であって、前記装置が、
第１のベースバンド入力として直交ベースバンド信号を受信し、第１の局部発振器（ＬＯ）入力として多相ＬＯ信号の第１のセットを受信するための手段と、
第２のベースバンド入力として前記直交ベースバンド信号を受信し、第２のＬＯ入力として多相ＬＯ信号の第２のセットを受信するための手段と、
第１のアップコンバート出力と第１の逆アップコンバート出力とを生成するための手段と、両方が前記第１のベースバンド入力と前記第１のＬＯ入力とを使用する、
第２のアップコンバート出力と第２の逆アップコンバート出力とを生成するための手段と、両方が前記第２のベースバンド入力と前記第２のＬＯ入力とを使用する、
前記第２のアップコンバート出力に前記第１のアップコンバート出力を直接接続し、前記結果を第１の増幅器入力に印加するための手段と、
前記第２の逆アップコンバート出力に前記第１の逆アップコンバート出力を直接接続し、前記結果を第２の増幅器入力に印加するための手段と、
前記第１および第２の増幅器入力に少なくとも部分的に基づいて少なくとも１つの除去高調波スプリアス混合積をもつアップコンバート信号を送信するための手段とを備える、装置。
［Ｃ３３］
多相ＬＯ信号の前記第１のセットが４位相ＬＯ信号の第１のセットを備え、多相ＬＯ信号の前記第２のセットが４位相ＬＯ信号の第２のセットを備える、Ｃ３２に記載の装置。
［Ｃ３４］
４位相ＬＯ信号の前記第１のセットが２５％デューティサイクルであり、４位相ＬＯ信号の前記第２のセットが５０％デューティサイクルである、Ｃ３３に記載の装置。
［Ｃ３５］
４位相ＬＯ信号の前記第１のセットが、４位相ＬＯ信号の前記第２のセットに対して４５度だけシフトされる、Ｃ３４に記載の装置。
［Ｃ３６］
関連ファクタ１によって前記第１のベースバンド入力をスケーリングするための手段と、
関連ファクタｓｑｒｔ（２）によって前記第２のベースバンド入力をスケーリングするための手段とをさらに備える、Ｃ３５に記載の装置。
［Ｃ３７］
前記第１のアップコンバート出力および前記第１の逆アップコンバート出力がスケールド抵抗ファクタ１を有し、前記第２のアップコンバート出力および前記第２の逆アップコンバート出力がスケールド抵抗ファクタｓｑｒｔ（２）を有する、Ｃ３６に記載の装置。
［Ｃ３８］
第３のベースバンド入力として前記直交ベースバンド信号を受信し、第３のＬＯ入力として４位相ＬＯ信号の第３のセットを受信するための手段をさらに備え、ここにおいて、第１の４位相ＬＯ信号、第２の４位相ＬＯ信号、および第３の４位相ＬＯ信号の各々が２５％デューティサイクルである、Ｃ３３に記載の装置。
［Ｃ３９］
４位相ＬＯ信号の前記第１のセットが４位相ＬＯ信号の前記第２のセットに対して４５度だけシフトされ、４位相ＬＯ信号の前記第１のセットが４位相ＬＯ信号の前記第３のセットに対して−４５度シフトされる、Ｃ３８に記載の装置。
［Ｃ４０］
関連ファクタ１によって前記第１のベースバンド入力をスケーリングするための手段と、
関連ファクタｓｑｒｔ（２）によって前記第２のベースバンド入力をスケーリングするための手段と、
関連ファクタｓｑｒｔ（２）によって前記第３のベースバンド入力をスケーリングするための手段とをさらに備える、Ｃ３９に記載の装置。
［Ｃ４１］
第３のアップコンバート出力と第３の逆アップコンバート出力とを生成するための手段と、両方が前記第３のベースバンド入力と前記第３のＬＯ入力とを使用する、
前記第１のアップコンバート出力と前記第２のアップコンバート出力とに前記第３のアップコンバート出力を直接接続し、前記結果を前記第１の増幅器入力に印加するための手段と、
前記第１の逆アップコンバート出力と前記第２の逆アップコンバート出力とに前記第３の逆アップコンバート出力を直接接続し、前記結果を第３の第２の増幅器入力に印加するための手段とをさらに備える、Ｃ４０に記載の装置。
［Ｃ４２］
前記第１のアップコンバート出力および前記第１の逆アップコンバート出力がスケールド抵抗ファクタ１を有し、前記第２のアップコンバート出力および前記第２の逆アップコンバート出力がスケールド抵抗ファクタｓｑｒｔ（２）を有し、前記第３のアップコンバート出力および前記第３の逆アップコンバート出力がスケールド抵抗ファクタｓｑｒｔ（２）を有する、Ｃ４１に記載の装置。
［Ｃ４３］
前記第２のアップコンバート出力に前記第１のアップコンバート出力を直接接続することと、前記第２の逆アップコンバート出力に前記第１の逆アップコンバート出力を直接接続することとが、電圧分割および電圧重ね合わせの原理に基づく、Ｃ３２に記載の装置。
［Ｃ４４］
４位相ＬＯ信号の前記第１のセットが３３％デューティサイクルであり、４位相ＬＯ信号の前記第２のセットが６６％デューティサイクルである、Ｃ３３に記載の装置。
［Ｃ４５］
第３のベースバンド入力として前記直交ベースバンド信号を受信し、第３のＬＯ入力として４位相ＬＯ信号の第３のセットを受信するための手段をさらに備え、ここにおいて、前記第１の４位相ＬＯ信号、前記第２の４位相ＬＯ信号、および前記第３の４位相ＬＯ信号の各々が３３％デューティサイクルである、Ｃ３３に記載の装置。